(57)【要約】【課題】デモンストレーションによって電子機器が有する性能を十分にアピールすることを可能とする電子機器、及び画像表示プログラムを提供する。【解決手段】画像を表示する表示手段と、予め定められた複数の場面に対応する画像を予め定められた順番に従って前記表示手段に表示するように制御する制御手段と、ユーザによる当該電子機器への指示入力を検出する検出手段と、前記場面と、該場面に対応する当該電子機器への設定情報とが関連づけられて記憶された記憶手段と、前記制御手段による前記複数の場面に対応する画像の表示中に前記検出手段によりユーザからの指示入力が検出されると、そのタイミングで表示されている場面に対応する設定情報を前記記憶手段から取得する取得手段と、前記取得手段により取得された設定情報を、当該電子機器に設定する設定手段と、を有する。【選択図】図４
2008244662.tif 000002
【特許請求の範囲】
【請求項１】
画像を表示する表示手段と、
予め定められた複数の場面に対応する画像を予め定められた順番に従って前記表示手段に表示するように制御する制御手段と、
ユーザによる当該電子機器への指示入力を検出する検出手段と、
前記場面と、該場面に対応する当該電子機器への設定情報とが関連づけられて記憶された記憶手段と、
前記制御手段による前記複数の場面に対応する画像の表示中に前記検出手段によりユーザからの指示入力が検出されると、そのタイミングで表示されている場面に対応する設定情報を前記記憶手段から取得する取得手段と、
前記取得手段により取得された設定情報を、当該電子機器に設定する設定手段と、
を有する電子機器。
【請求項２】
前記検出手段は複数設けられ、
前記取得手段は、複数の前記検出手段のうち、特定の検出手段に前記ユーザからの指示入力が検出された場合にのみ、そのタイミングで表示されている場面に対応する設定情報を前記記憶手段から取得する請求項１に記載の電子機器。
【請求項３】
前記特定の検出手段は、前記場面に応じて異なるものである請求項２に記載の電子機器。
【請求項４】
前記記憶手段には、前記場面に対応するとともに、当該電子機器に対してユーザが設定を行う場合に前記表示手段により表示される設定画面を示す設定画面情報が前記場面に関連づけられて更に記憶されており、
前記取得手段は、前記制御手段による前記複数の場面に対応する画像の表示中に前記検出手段によりユーザからの指示入力が検出されると、前記記憶手段から前記設定画面情報を取得し、取得した設定画面情報を前記表示手段により表示する請求項１から請求項３のいずれか１項に記載の電子機器。
【請求項５】
前記制御手段は、前記検出手段によりユーザからの指示入力が検出されると、前記表示手段への表示を中断するように制御し、
前記設定手段により前記設定情報が設定された後に、前記表示手段への表示を再開するか否かユーザに問い合わせる内容を示す画面を、前記表示手段に表示するように制御する請求項１から請求項４のいずれか１項に記載の電子機器。
【請求項６】
前記電子機器はデジタルカメラである請求項１から請求項５のいずれか１項に記載の電子機器。
【請求項７】
予め定められた複数の場面に対応する画像を予め定められた順番に従って、画像を表示する表示手段に表示するように制御する制御ステップと、
ユーザによる当該電子機器への指示入力を検出する検出ステップと、
前記制御ステップによる前記複数の場面に対応する画像の表示中に前記検出ステップによりユーザからの指示入力が検出されると、そのタイミングで表示されている場面に対応する設定情報を、前記場面と、該場面に対応する当該電子機器への設定情報とが関連づけられて記憶された記憶手段から取得する取得ステップと、
前記取得ステップにより取得された設定情報を、当該電子機器に設定する設定ステップと、
を有する処理を電子機器により実行するための画像表示プログラム。
【発明の詳細な説明】
【技術分野】
【０００１】
本発明は、電子機器、及び画像表示プログラムに関し、特に予め定められた複数の場面に対応する画像を予め定められた順番に従って表示する機能を有する電子機器、及び画像表示プログラムに関する。
【背景技術】
【０００２】
従来より、電子機器には、その電子機器の特徴などを表現するためのデモンストレーション機能を有するものが多い。
【０００３】
このデモンストレーションに関連して、特許文献１には、デモンストレーションに適した専用の動作条件を設定する技術が開示されている。また、特許文献２には、デモンストレーションをユーザがコントロールできる技術が開示されている。更に、特許文献３には、デモンストレーション中に中断して通常撮影モードとすることができたり、デモンストレーションを再開する技術が開示されている。
【特許文献１】特開２００１−３５２４７９号公報
【特許文献２】特開平１１−２１５４１６号公報
【特許文献３】特開平８−２９８６１５号公報
【発明の開示】
【発明が解決しようとする課題】
【０００４】
しかしながら、上記特許文献１に開示された技術では、店内でのデモ用カメラ動作に適したデモモード専用の動作条件が設定できるにすぎず、デモンストレーションによって電子機器が有する性能を十分にアピールすることができない。
【０００５】
また、特許文献２に開示された技術では、デモモードの内容を前に進めたり、戻したり、一時停止したりすることができるが、やはりデモンストレーションによって電子機器が有する性能を十分にアピールすることができない。
【０００６】
更に特許文献３に開示された技術では、デモンストレーション中に通常撮影モードにすることなどが可能であるが、これもまたデモンストレーションによって電子機器が有する性能を十分にアピールすることができない。
【０００７】
このように従来の技術では、デモンストレーションによって電子機器が有する性能を十分にアピールすることができないという問題点があった。
【０００８】
本発明は上記問題点に鑑み、デモンストレーションによって電子機器が有する性能を十分にアピールすることを可能とする電子機器、及び画像表示プログラムを提供することを目的とする。
【課題を解決するための手段】
【０００９】
上記目的を達成するために、請求項１の発明は、画像を表示する表示手段と、予め定められた複数の場面に対応する画像を予め定められた順番に従って前記表示手段に表示するように制御する制御手段と、ユーザによる当該電子機器への指示入力を検出する検出手段と、前記場面と、該場面に対応する当該電子機器への設定情報とが関連づけられて記憶された記憶手段と、前記制御手段による前記複数の場面に対応する画像の表示中に前記検出手段によりユーザからの指示入力が検出されると、そのタイミングで表示されている場面に対応する設定情報を前記記憶手段から取得する取得手段と、前記取得手段により取得された設定情報を、当該電子機器に設定する設定手段と、を有する。
【００１０】
請求項１の発明によれば、表示手段が画像を表示し、制御手段が予め定められた複数の場面に対応する画像を予め定められた順番に従って前記表示手段に表示するように制御し、検出手段がユーザによる当該電子機器への指示入力を検出し、記憶手段には、前記場面と、該場面に対応する当該電子機器への設定情報とが関連づけられて記憶され、取得手段が前記制御手段による前記複数の場面に対応する画像の表示中に前記検出手段によりユーザからの指示入力が検出されると、そのタイミングで表示されている場面に対応する設定情報を前記記憶手段から取得し、設定手段が前記取得手段により取得された設定情報を、当該電子機器に設定するので、デモンストレーションによって電子機器が有する性能を十分にアピールすることを可能とすることができる。
【００１１】
また、本発明は、請求項２の発明ように、前記検出手段は複数設けられ、前記取得手段は、複数の前記検出手段のうち、特定の検出手段に前記ユーザからの指示入力が検出された場合にのみ、そのタイミングで表示されている場面に対応する設定情報を前記記憶手段から取得するようにしても良い。
【００１２】
請求項２の発明によれば、ユーザの誤操作による設定情報の取得を回避することができる。
【００１３】
また、本発明は、請求項３の発明のように、前記特定の検出手段は、前記場面に応じて異なるものである。
【００１４】
請求項３の発明によれば、ユーザの誤操作による設定情報の取得を回避することができる。
【００１５】
また、本発明は、請求項４の発明のように、前記記憶手段には、前記場面に対応するとともに、当該電子機器に対してユーザが設定を行う場合に前記表示手段により表示される設定画面を示す設定画面情報が前記場面に関連づけられて更に記憶されており、前記取得手段は、前記制御手段による前記複数の場面に対応する画像の表示中に前記検出手段によりユーザからの指示入力が検出されると、前記記憶手段から前記設定画面情報を取得し、取得した設定画面情報を前記表示手段により表示する。
【００１６】
請求項４の発明によれば、ユーザは実際の設定画面を確認することができる。
【００１７】
また、本発明は、請求項５の発明のように、前記制御手段は、前記検出手段によりユーザからの指示入力が検出されると、前記表示手段への表示を中断するように制御し、前記設定手段により前記設定情報が設定された後に、前記表示手段への表示を再開するか否かユーザに問い合わせる内容を示す画面を、前記表示手段に表示するように制御する。
【００１８】
請求項５の発明によれば、ユーザが操作した後に、表示手段への表示を再開するか否かユーザに問い合わせるため、ユーザは操作を何度も体感することが可能となる
また、本発明は、請求項６の発明のように、前記電子機器はデジタルカメラであるようにしても良い。
【００１９】
上記目的を達成するために、請求項７の発明は、予め定められた複数の場面に対応する画像を予め定められた順番に従って、画像を表示する表示手段に表示するように制御する制御ステップと、ユーザによる当該電子機器への指示入力を検出する検出ステップと、前記制御ステップによる前記複数の場面に対応する画像の表示中に前記検出ステップによりユーザからの指示入力が検出されると、そのタイミングで表示されている場面に対応する設定情報を、前記場面と、該場面に対応する当該電子機器への設定情報とが関連づけられて記憶された記憶手段から取得する取得ステップと、前記取得ステップにより取得された設定情報を、当該電子機器に設定する設定ステップと、を有する処理を電子機器により実行するための画像表示プログラム。
【００２０】
請求項７の発明は、請求項１の発明と同様に作用するため、請求項１の発明による効果と同様の効果を得ることができる。
【発明の効果】
【００２１】
本発明によれば、デモンストレーションによって電子機器が有する性能を十分にアピールすることを可能とする電子機器、及び画像表示プログラムを提供することができるという効果が得られる。
【発明を実施するための最良の形態】
【００２２】
以下、図面を参照して、本発明の実施の形態について詳細に説明する。なお、本実施の形態では、電子機器としてデジタルカメラを例にした実施の形態について説明する。
【００２３】
まず、図１を参照して、本実施の形態に係るデジタルカメラ１０の外観上の構成を説明する。デジタルカメラ１０の正面には、被写体像を結像させるための光学部材であるレンズ２１と、撮影する被写体の構図を決定するために用いられるファインダ２０と、フラッシュ４４とが備えられている。また、デジタルカメラ１０の上面には、撮影を実行する際に押圧操作されるレリーズボタン（所謂シャッターボタン）５６Ａと、電源スイッチ５６Ｂと、が備えられている。
【００２４】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、デジタルカメラ１０では、レリーズボタン５６Ａを半押し状態にすることにより被写体の明るさが測光され、測光された被写体の明るさに基づきＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００２６】
一方、デジタルカメラ１０の背面には、前述のファインダ２０の接眼部と、撮影された被写体像やメニュー画面等を表示するための上記ＬＣＤ３８と、撮影を行うモードである撮影モード及び撮影によって得られた被写体像をＬＣＤ３８に再生表示するモードである再生モードの何れかのモードに設定する際にスライド操作されるモード切替スイッチ５６Ｃと、被写体像を拡大縮小するためのズームボタン５８とが備えられている。
【００２７】
また、デジタルカメラ１０の背面には、十字カーソルボタン５６Ｄと、スイッチ５６Ｅと、が更に備えられている。このスイッチ５６Ｅは、ＡＵＴＯ／赤目軽減／発光禁止／強制発光／スローシンクロ等を切り替えるスイッチである。
【００２８】
なお、十字カーソルボタン５６Ｄは、ＬＣＤ３８の表示領域における上・下・左・右の４方向の移動方向を示す４つの矢印キーと、それら矢印キーの中央に存在する決定キーとを含んで構成されている。
【００２９】
次に、図２を参照して、本実施の形態に係るデジタルカメラ１０の電気系の構成を説明する。
【００３０】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３１】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３２】
なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ４０と、撮影により得られたデジタル画像データ等を記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸長処理を行う圧縮・伸長処理回路５４と、を含んで構成されている。
【００３６】
なお、本実施の形態のデジタルカメラ１０では、メモリ４８としてＶＲＡＭ（Video RAM）、ＳＲＡＭ又はＤＲＡＭ、フラッシュメモリのうちのいずれか１つ以上が用いられ、メモリカード５２としてスマートメディア（Smart Media(登録商標)）が用いられている。
【００３７】
デジタル信号処理部３０、ＬＣＤインタフェース３６、ＣＰＵ４０、メモリインタフェース４６、外部メモリインタフェース５０、及び圧縮・伸長処理回路５４はシステムバスＢＵＳを介して相互に接続されている。従って、ＣＰＵ４０は、デジタル信号処理部３０の作動の制御、圧縮・伸長処理回路５４の作動の制御、ＬＣＤ３８に対するＬＣＤインタフェース３６を介した各種情報の表示、メモリ４８及びメモリカード５２へのメモリインタフェース４６、及び外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４１】
更に、前述のレリーズボタン５６Ａ、電源スイッチ５６Ｂ、モード切替スイッチ５６Ｃ、十字カーソルボタン５６Ｄ、ズームボタン５８、及びスイッチ５６Ｅ、（同図では、「操作部５６」と総称。）はＣＰＵ４０に接続されており、ＣＰＵ４０は、これらの操作部５６に対する操作状態を常時把握できる。
【００４２】
また、デジタルカメラ１０には、フラッシュ４４とＣＰＵ４０との間に介在されると共に、ＣＰＵ４０の制御によりフラッシュ４４を発光させるための電力を充電する充電部４２が備えられている。更に、フラッシュ４４はＣＰＵ４０にも接続されており、フラッシュ４４の発光はＣＰＵ４０によって制御される。
【００４３】
次に、本実施の形態に係るデジタルカメラ１０の撮影時における全体的な動作について簡単に説明する。
【００４４】
まず、ＣＣＤ２４は、光学ユニット２２を介した撮影を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４５】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４６】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００４７】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４８】
なお、ＬＣＤ３８は、ＣＣＤ２４による連続的な撮影によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００４９】
ここで、レリーズボタン５６Ａが撮影者によって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸長処理回路５４によって所定の圧縮形式（本実施の形態では、ＪＰＥＧ形式）で圧縮した後に外部メモリインタフェース５０を介してメモリカード５２に記録する。
【００５０】
次に、図３を用いて、デモンストレーションデータベース（以下、デモＤＢと記す）について説明する。デモＤＢは、同図に示されるように、順番、場面、設定１、２、ユーザ操作、検出対象、及び設定画面情報を含む構造となっている。
【００５１】
順番は、デモンストレーション（以下、単にデモと記す）の順番を示すものである。場面は、デモの内容を示すものである。変更モードは、後述するユーザからの指示入力を検出した場合に変更される動作モードを示している。このモードには、同図に示されるように、撮影モード、及び再生モードがある。なお、デモ自体は、再生モードで実行されるものである。また、撮影モードは、実際に撮影することが可能なモードである。
【００５２】
設定１、２は、その場面に対応する設定情報を示すものである。この設定情報は場面に応じ１つ以上存在するもので、同図の場合、最大２つとなっているが、２つに限るものではない。
【００５３】
ユーザ操作は、後述するデモの中断を再開するトリガーとなるユーザ操作を示している。検出対象は、上述した指示入力を、レリーズボタン５６Ａ、十字カーソルボタン５６Ｄ、及びズームボタン５８のうちのいずれからの指示入力を検出対象とするかを示している。なお、レリーズボタン５６Ａ、十字カーソルボタン５６Ｄ、及びズームボタン５８は検出手段に対応する。
【００５４】
設定画面情報は、デジタルカメラ１０に対してユーザが設定を行う場合にＬＣＤ３８により表示される設定画面を示す情報であり、これも場面に対応して設けられている。
【００５５】
このように、デモＤＢは、場面と、その場面に対応する当該デジタルカメラ１０への設定情報とが関連づけられて記憶されている。また、場面に対応するとともに、当該デジタルカメラ１０に対してユーザが設定を行う場合にＬＣＤ３８により表示される設定画面を示す設定画面情報が前記場面に関連づけられて更に記憶されている。
【００５６】
また、レリーズボタン５６Ａ、十字カーソルボタン５６Ｄ、及びズームボタン５８のうち、同図において、「○」が記されたボタンが特定の検出手段であり、その特定の検出手段にユーザからの指示入力が検出された場合にのみ、そのタイミングで表示されている場面に対応する設定情報が取得される。更に、同図に示されるように、特定の検出手段は、場面に応じて異なるものとなっている。
【００５７】
以上説明したデモＤＢは、例えば上述したメモリカード５２や、メモリ４８等に予め記憶されている。
【００５８】
以下、本実施の形態に係るデモ制御処理について、フローチャートを用いて説明する。このフローチャートは、ＣＰＵ４０により実行される処理を示している。
【００５９】
まず、図４のフローチャートを用いてデモ制御処理について説明する。電源投入後、デジタルカメラ１０は投入時の操作によってデモモードで起動するか、通常モードで起動するかが決定される。なお、本実施の形態におけるデモモードは、再生スライドショーで実行されるものとしている。
【００６０】
従って、ステップ１０１で、デモモードで起動か否か判断し、否定判断した場合には、ステップ１０２で通常モードでの起動となり、デモ制御処理に係る処理は終了する。一方、デモモードで起動した場合には、ステップ１０３で、デモを開始する。これによりＣＰＵ４０は、デモＤＢに示される予め定められた複数の場面に対応する画像を予め定められた上記順番に従ってＬＣＤ３８に表示するように制御する。
【００６１】
このデモ実行中に、ステップ１０４で、指示入力の検出待ちとし、指示入力が検出されると、ステップ１０５で、表示されている場面に対応する設定情報をデモＤＢから取得する。その後、ステップ１０６でデモモードを中断し、ステップ１０７で、先ほど取得した設定情報をデジタルカメラ１０に設定する。
【００６２】
そして、ステップ１０８で、設定情報に応じた動作モード（デモＤＢ参照）に変更する。その状態で、ユーザに操作させ、次のステップ１０９で、ユーザの操作完了待ちとする。このユーザの操作とは、デモＤＢに示されるユーザ操作に示される操作である。ユーザの操作が完了したと判断すると、ステップ１１０でデモモードを再開するために、再びステップ１０３の処理に戻る。
【００６３】
この処理を、デモ画面が高感度撮影となっている場合を例にして説明する。図５に示されるデモ画面（場面が高感度撮影）が表示されている。このデモ画面には、低感度での被写体像と、高感度での被写体像とが示されている。
【００６４】
このデモ画面が表示されているタイミングでユーザがレリーズボタン５６Ａを押下すると、デジタルカメラ１０の動作モードを撮影モードに変更し、更にブレ軽減モード及び感度をＩＳＯ３２００にデジタルカメラ１０を設定する。その状態でユーザがレリーズボタン５６Ａを押下する（この場合は高感度撮影されることとなる）とデモモードを再開する。
【００６５】
このように、デモ中にその機能をユーザが試してみたいときに、即座にかつ設定操作をする必要もなくユーザが試すことができるので、デモによってデジタルカメラ１０が有する性能を十分にアピールすることができる。
【００６６】
次に、特定の検出手段にユーザからの指示入力が検出された場合にのみ、そのタイミングで表示されている場面に対応する設定情報をデモＤＢから取得する処理について説明する。
【００６７】
デモでは、図６に示されるように、ガイドが表示されることがある。同図では、レリーズボタン５６Ａの押下をユーザに促すガイドとなっている。この場合、レリーズボタン５６Ａの押下を検出した場合にのみ、そのタイミングで表示されている場面に対応する設定情報を取得することとなる。
【００６８】
この処理を、図７のフローチャートを用いて説明する。まず、ステップ２０１で、デモモードで起動か否か判断し、否定判断した場合には、ステップ２０２で通常モードでの起動となり、デモ制御処理に係る処理は終了する。一方、デモモードで起動した場合には、ステップ２０３で、デモを開始する。これによりＣＰＵ４０は、デモＤＢに示される予め定められた複数の場面に対応する画像を予め定められた上記順番に従ってＬＣＤ３８に表示するように制御する。
【００６９】
このデモ実行中に、ステップ２０４で、ガイドに表示されたボタンによる指示入力の検出待ちとし、指示入力が検出されると、ステップ２０５で、表示されている場面に対応する設定情報をデモＤＢから取得する。その後、ステップ２０６でデモモードを中断し、ステップ２０７で、先ほど取得した設定情報をデジタルカメラ１０に設定する。
【００７０】
そして、ステップ２０８で、設定情報に応じた動作モード（デモＤＢ参照）に変更する。その状態で、ユーザに操作させ、次のステップ２０９で、ユーザの操作完了待ちとする。このユーザの操作とは、デモＤＢに示されるユーザ操作に示される操作である。ユーザの操作が完了したと判断すると、ステップ２１０でデモモードを再開するために、再びステップ２０３の処理に戻る。
【００７１】
このように、デモ中にその機能をユーザが試してみたいときに、即座にかつ設定操作をする必要もなく、また、ユーザの誤操作による設定情報の取得を回避することができ、更にガイドが表示されることによりユーザが試すことができるので、デモによってデジタルカメラ１０が有する性能を十分にアピールすることができる。
【００７２】
次に、特定の検出手段が場面に応じて異なるものとする場合の処理を、図８のフローチャートを用いて説明する。まず、ステップ３０１で、デモモードで起動か否か判断し、否定判断した場合には、ステップ３０２で通常モードでの起動となり、デモ制御処理に係る処理は終了する。一方、デモモードで起動した場合には、ステップ３０３で、デモを開始する。これによりＣＰＵ４０は、デモＤＢに示される予め定められた複数の場面に対応する画像を予め定められた上記順番に従ってＬＣＤ３８に表示するように制御する。
【００７３】
このデモ実行中に、ステップ３０４で、場面に応じたボタンによる指示入力を検出待ちとし、指示入力が検出されると、ステップ３０５で、表示されている場面に対応する設定情報をデモＤＢから取得する。ここで、場面に応じたボタンとは、図３のデモＤＢに「○」で示されるボタンであり、例えば場面が高感度撮影の場合には、レリーズボタン５６Ａ又はズームボタン５８を示す。
【００７４】
次のステップ３０６でデモモードを中断し、ステップ３０７で、先ほど取得した設定情報をデジタルカメラ１０に設定する。
【００７５】
そして、ステップ３０８で、設定情報に応じた動作モード（デモＤＢ参照）に変更する。その状態で、ユーザに操作させ、次のステップ３０９で、ユーザの操作完了待ちとする。このユーザの操作とは、デモＤＢに示されるユーザ操作に示される操作である。ユーザの操作が完了したと判断すると、ステップ３１０でデモモードを再開するために、再びステップ３０３の処理に戻る。
【００７６】
これにより、ユーザの誤操作による設定情報の取得を回避することができるとともに、誤操作によりデモモードを中断することがなく、また、ユーザに焦燥感を与えることなく実際の動作を体感できる機会を与えることができるので、デモによってデジタルカメラ１０が有する性能を十分にアピールすることができる。
【００７７】
次に、デモ中に実際の設定画面をＬＣＤ３８に表示する処理について説明する。まず、図９を用いて、ＬＣＤ３８に表示される設定画面について説明する。図９には、デモ画面と、設定移行画面と、設定画面とが示されている。同図に示されるように、デモ画面表示中に、ユーザが操作することで、設定移行画面を表示し、その後設定画面が表示される。この設定画面で設定された設定情報は、デジタルカメラ１０に設定される。
【００７８】
この設定画面を表示する処理を、図１０のフローチャートを用いて説明する。まず、ステップ４０１で、デモモードで起動か否か判断し、否定判断した場合には、ステップ４０２で通常モードでの起動となり、デモ制御処理に係る処理は終了する。一方、デモモードで起動した場合には、ステップ４０３で、デモを開始する。これによりＣＰＵ４０は、デモＤＢに示される予め定められた複数の場面に対応する画像を予め定められた上記順番に従ってＬＣＤ３８に表示するように制御する。
【００７９】
このデモ実行中に、ステップ４０４で、指示入力の検出待ちとし、指示入力が検出されると、ステップ４０５で、表示されている場面に対応する設定情報をデモＤＢから取得する。次のステップ４０６でデモモードを中断し、ステップ４０７で、先ほど取得した設定情報をデジタルカメラ１０に設定する。次のステップ４０８で、デモＤＢに示される設定画面を表示する。この設定画面には、先ほど取得した設定情報が反映されている。また、ここでの設定画面には、上述した設定移行画面の他に、設定に応じて必要となる複数の画面を含む。
【００８０】
その後、ステップ４０９で、設定情報に応じた動作モード（デモＤＢ参照）に変更する。その状態で、ユーザに操作させ、次のステップ４１０で、ユーザの操作完了待ちとする。このユーザの操作とは、デモＤＢに示されるユーザ操作に示される操作である。ユーザの操作が完了したと判断すると、ステップ４１１でデモモードを再開するために、再びステップ４０３の処理に戻る。
【００８１】
これにより、ユーザがデモ中に実際の設定画面を確認することができるので、デモによってデジタルカメラ１０が有する性能を十分にアピールすることができる。
【００８２】
次に、設定情報が設定された後に、ＬＣＤ３８へデモ表示を再開するか否かユーザに問い合わせる内容を示す画面を表示する処理について説明する。
【００８３】
図１１に示されるように、例えば場面がスライドショーであるデモが表示されている状態で、ユーザが操作すると、設定情報が設定されて同図に示されるように顔拡大画面が表示される。その後、スライドショーが一巡（デモＤＢ参照）すると、今までの処理ではデモが再開したが、図１２に示されるようなデモ表示を再開するか否かユーザに問い合わせる内容を示す画面を表示する。図１２に示される画面には、「デモモードに戻りますか？」、そして、「Ｙｅｓ」、「Ｎｏ」と表示されている。ここで、ユーザが「Ｙｅｓ」を選択すると、デモが再開され、「Ｎｏ」を選択するとデモが再開されずに、再びスライドショーに関する操作を行うことができる。
【００８４】
この処理を、図１３のフローチャートを用いて説明する。まず、ステップ５０１で、デモモードで起動か否か判断し、否定判断した場合には、ステップ５０２で通常モードでの起動となり、デモ制御処理に係る処理は終了する。一方、デモモードで起動した場合には、ステップ５０３で、デモを開始する。これによりＣＰＵ４０は、デモＤＢに示される予め定められた複数の場面に対応する画像を予め定められた上記順番に従ってＬＣＤ３８に表示するように制御する。
【００８５】
このデモ実行中に、ステップ５０４で、指示入力を検出待ちとし、指示入力が検出されると、ステップ５０５で、表示されている場面に対応する設定情報をデモＤＢから取得する。その後、ステップ５０６でデモモードを中断し、ステップ５０７で、先ほど取得した設定情報をデジタルカメラ１０に設定する。
【００８６】
そして、ステップ５０８で、設定情報に応じた動作モード（デモＤＢ参照）に変更する。その状態で、ユーザに操作させ、次のステップ５０９で、ユーザの操作完了待ちとする。このユーザの操作とは、デモＤＢに示されるユーザ操作に示される操作である。ユーザの操作が完了したと判断すると、ステップ５１０で、図１２に示した画面である再開問い合わせ画面を表示する。
【００８７】
次のステップ５１１で、ユーザがデモモードを再開することを選択したと判断した場合には、ステップ５１２でデモモードを再開するために、再びステップ５０３の処理に戻る。一方、ステップ５１１で、ユーザがデモモードを再開しないことを選択したと判断した場合には、再びステップ５０９のユーザの操作完了待ちとなる。
【００８８】
これにより、ユーザが操作を何度も体感することが可能となるので、デモによってデジタルカメラ１０が有する性能を十分にアピールすることができる。
【００８９】
以上説明した実施の形態では、デモの場面として、高感度撮影、画像拡大チェック、及びスライドショー顔拡大を例にして説明したが、デモの場面はそれらに限るものではない。また、上述したステップ１０９、２０９、３０９、４１１、５０９では、ユーザの操作待ちとなっているが、その他に、例えば一定以上操作がない場合はデモを再開するようにしても良い。
【００９０】
また、本実施の形態では、電子機器としてデジタルカメラを例にして説明したが、本実施の形態は、デモ中に検出手段によりユーザからの指示入力が検出されると、そのタイミングで表示されている場面に対応する設定情報を電子機器に設定するものなので、デジタルカメラに限らず、パソコン、携帯電話、ＰＤＡなどの電子機器に適用できることは言うまでもない。
【００９１】
また、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００９２】
【図１】本実施の形態に係るデジタルカメラの外観上の構成を示す図である。
【図２】本実施の形態に係るデジタルカメラの電気系の構成を示す図である。
【図３】デモンストレーションデータベースを示す図である。
【図４】デモ制御処理を示すフローチャートである（その１）。
【図５】デモ画面（高感度撮影）を示す図である。
【図６】デモ画面（ガイド表示）を示す図である。
【図７】デモ制御処理を示すフローチャートである（その２）。
【図８】デモ制御処理を示すフローチャートである（その３）。
【図９】設定画面を示す図である。
【図１０】デモ制御処理を示すフローチャートである（その４）。
【図１１】デモ画面（スライドショー）を示す図である。
【図１２】再開問い合わせ画面を示す図である。
【図１３】デモ制御処理を示すフローチャートである（その５）。
【符号の説明】
【００９３】
１０  デジタルカメラ
３８  ＬＣＤ
４０  ＣＰＵ
４８  メモリ
５６Ａ  レリーズボタン
５６Ｄ  十字カーソルボタン
５６  操作部
５８  ズームボタン
【図１】
2008244662.tif 000003
【図２】
2008244662.tif 000004
【図３】
2008244662.tif 000005
【図４】
2008244662.tif 000006
【図７】
2008244662.tif 000007
【図８】
2008244662.tif 000008
【図１０】
2008244662.tif 000009
【図１２】
2008244662.tif 000010
【図１３】
2008244662.tif 000011
【図５】
2008244662.tif 000012
【図６】
2008244662.tif 000013
【図９】
2008244662.tif 000014
【図１１】
2008244662.tif 000015